(57)【要約】  複数の圧力センサが２次元に配列された圧分布検出センサを含む圧分布計と接続可能な情報処理装置であって、圧分布計から圧分布検出センサにより検出された圧分布を取得する圧分布取得部と、圧分布取得部により取得された圧分布の少なくとも一部が閾値を超過しているか否かを判定する閾値判定部と、閾値判定部により圧分布の少なくとも一部が閾値を超過していると判定された場合に、警告を行う警告部とを備える。
2014045498.tif 000002
【特許請求の範囲】
【請求項１】
複数の圧力センサが２次元に配列された圧分布検出センサを含む圧分布計と接続可能な情報処理装置であって、
前記圧分布計から前記圧分布検出センサにより検出された圧分布を取得する圧分布取得手段と、
前記圧分布取得手段により取得された前記圧分布の少なくとも一部が閾値を超過しているか否かを判定する閾値判定手段と、
前記閾値判定手段により前記圧分布の少なくとも一部が閾値を超過していると判定された場合に、警告を行う警告手段と、
を備えることを特徴とする情報処理装置。
【請求項２】
前記警告手段は、前記圧分布の少なくとも一部が閾値を超過していることを示すテキスト情報を表示部に表示することにより警告を行うことを特徴とする請求項１に記載の情報処理装置。
【請求項３】
前記圧分布取得手段により取得された前記圧分布を表示部に表示する表示制御手段をさらに備えることを特徴とする請求項１または２に記載の情報処理装置。
【請求項４】
前記警告手段は、前記表示部に表示されている前記圧分布のうち閾値を超過している領域を強調表示することにより警告を行うことを特徴とする請求項３に記載の情報処理装置。
【請求項５】
前記警告手段は、前記圧分布の少なくとも一部が閾値を超過していることを示す音声情報を報知することにより警告を行うことを特徴とする請求項１に記載の情報処理装置。
【請求項６】
前記警告手段は、前記圧分布の少なくとも一部が閾値を超過していることを示すテキスト情報を表示部に表示し、且つ、前記圧分布の少なくとも一部が閾値を超過していることを示す音声情報を報知することにより、警告を行うことを特徴とする請求項１に記載の情報処理装置。
【請求項７】
前記警告手段は、前記圧分布取得手段により取得された前記圧分布が閾値を超過している場合に、前記圧分布の最高値を表示部に表示することにより、前記警告を行うことを特徴とする請求項１に記載の情報処理装置。
【請求項８】
複数の圧力センサが２次元に配列された圧分布検出センサを含む圧分布計と接続可能な情報処理装置であって、
前記圧分布計から前記圧分布検出センサにより検出された圧分布を取得する圧分布取得手段と、
前記圧分布取得手段により取得された前記圧分布の最高値と、当該圧分布の平均値との差分値を算出する相対圧算出手段と、
前記差分値が閾値を超過しているか否かを判定する閾値判定手段と、
前記閾値判定手段により前記差分値が閾値を超過していると判定された場合に、警告を行う警告手段と、
を備えることを特徴とする情報処理装置。
【請求項９】
前記相対圧算出手段は、前記圧分布取得手段により取得された前記圧分布の最高値と、当該圧分布のうち一定値以下の圧分布の平均値との差分値を算出することを特徴とする請求項８に記載の情報処理装置。
【請求項１０】
複数の圧力センサが２次元に配列された圧分布検出センサを含む圧分布計と接続可能な情報処理装置の制御方法であって、
前記圧分布計から前記圧分布検出センサにより検出された圧分布を取得する圧分布取得工程と、
前記圧分布取得工程により取得された前記圧分布の少なくとも一部が閾値を超過しているか否かを判定する閾値判定工程と、
前記閾値判定工程により前記圧分布の少なくとも一部が閾値を超過していると判定された場合に、警告を行う警告工程と、
を有することを特徴とする情報処理装置の制御方法。
【請求項１１】
複数の圧力センサが２次元に配列された圧分布検出センサを含む圧分布計と接続可能な情報処理装置の制御方法であって、
前記圧分布計から前記圧分布検出センサにより検出された圧分布を取得する圧分布取得工程と、
前記圧分布取得工程により取得された前記圧分布の最高値と、当該圧分布の平均値との差分値を算出する相対圧算出工程と、
前記差分値が閾値を超過しているか否かを判定する閾値判定工程と、
前記閾値判定工程により前記差分値が閾値を超過していると判定された場合に、警告を行う警告工程と、
を有することを特徴とする情報処理装置の制御方法。
【請求項１２】
請求項１０または１１に記載の情報処理装置の制御方法の各工程をコンピュータに実行させるためのプログラム。
【請求項１３】
請求項１２に記載のプログラムが記憶されたコンピュータ読み取り可能な記憶媒体。
【請求項１４】
複数の圧力センサが２次元に配列された圧分布検出センサを含む圧分布計と、当該圧分布計と接続可能な情報処理装置とを備える圧分布計測システムであって、
前記情報処理装置は、
前記圧分布計から前記圧分布検出センサにより検出された圧分布を取得する圧分布取得手段と、
前記圧分布取得手段により取得された前記圧分布の少なくとも一部が閾値を超過しているか否かを判定する閾値判定手段と、
前記閾値判定手段により前記圧分布の少なくとも一部が閾値を超過していると判定された場合に、警告を行う警告手段と、
を備えることを特徴とする圧分布計測システム。
【請求項１５】
複数の圧力センサが２次元に配列された圧分布検出センサを含む圧分布計と、当該圧分布計と接続可能な情報処理装置とを備える圧分布計測システムであって、
前記情報処理装置は、
前記圧分布計から前記圧分布検出センサにより検出された圧分布を取得する圧分布取得手段と、
前記圧分布取得手段により取得された前記圧分布の最高値と、当該圧分布の平均値との差分値を算出する相対圧算出手段と、
前記差分値が閾値を超過しているか否かを判定する閾値判定手段と、
前記閾値判定手段により前記差分値が閾値を超過していると判定された場合に、警告を行う警告手段と、
を備えることを特徴とする圧分布計測システム。
【発明の詳細な説明】
【技術分野】
【０００１】
本発明は、情報処理装置、情報処理装置の制御方法、圧分布計測システム、プログラムおよび記憶媒体に関する。
【背景技術】
【０００２】
高齢化に伴い脳卒中などの脳神経系疾患を発症する患者や、関節症など運動器に関連する疾患が増加している。発症すると運動機能が低下するため、場合によっては寝たきりになる可能性がある。【０００３】
運動機能が低下してベッドサイドにいる時間が長くなると褥瘡対策が重要になる。褥瘡とは、患者が長期にわたり同じ体勢で寝たきり等になった場合、体と支持面（多くはベッド）との接触局所に圧がかかり、血行不全となって周辺組織に壊死を起こす症状をいう。一般に、圧が３０ｍｍＨｇ以上になると対策を採る必要がある。通常はベッドの柔らかさを変えたり、クッションを入れたりすることにより対策が採られている（例えば、特許文献１参照）。【０００４】
この圧のかかり過ぎを判定するものとして、プローブを圧がかかりそうな場所に挿入し、その場所の圧力を計測する方法が考えられる。
【先行技術文献】
【特許文献】
【０００５】
【特許文献１】特開平１１−３３２６９７号公報
【発明の概要】
【発明が解決しようとする課題】
【０００６】
しかしながら、プローブは直径数ｃｍ程度であるため、適切な位置にプローブが挿入されていない場合には、圧のかかり過ぎを発見することができない。すなわち、被検者の褥瘡の可能性を見逃してしまうおそれがある。【０００７】
上記の課題に鑑み、本発明は、被検者の褥瘡の可能性を低減する情報処理装置を提供することを目的とする。
【課題を解決するための手段】
【０００８】
上記の目的を達成する本発明に係る情報処理装置は、
複数の圧力センサが２次元に配列された圧分布検出センサを含む圧分布計と接続可能な情報処理装置であって、
前記圧分布計から前記圧分布検出センサにより検出された圧分布を取得する圧分布取得手段と、
前記圧分布取得手段により取得された前記圧分布の少なくとも一部が閾値を超過しているか否かを判定する閾値判定手段と、
前記閾値判定手段により前記圧分布の少なくとも一部が閾値を超過していると判定された場合に、警告を行う警告手段と、
を備えることを特徴とする。【０００９】
また、上記の目的を達成する本発明に係る別の情報処理装置は、
複数の圧力センサが２次元に配列された圧分布検出センサを含む圧分布計と接続可能な情報処理装置であって、
前記圧分布計から前記圧分布検出センサにより検出された圧分布を取得する圧分布取得手段と、
前記圧分布取得手段により取得された前記圧分布の最高値と、当該圧分布の平均値との差分値を算出する相対圧算出手段と、
前記差分値が閾値を超過しているか否かを判定する閾値判定手段と、
前記閾値判定手段により前記差分値が閾値を超過していると判定された場合に、警告を行う警告手段と、
を備えることを特徴とする。
【発明の効果】
【００１０】
本発明によれば、被検者の褥瘡の可能性を低減することができる。【００１１】
本発明のその他の特徴及び利点は、添付図面を参照とした以下の説明により明らかになるであろう。なお、添付図面においては、同じ若しくは同様の構成には、同じ参照番号を付す。
【図面の簡単な説明】
【００１２】
添付図面は明細書に含まれ、その一部を構成し、本発明の実施の形態を示し、その記述と共に本発明の原理を説明するために用いられる。
【図１】本発明の第１実施形態に係る圧分布計測システム１０の外観構成の一例を示す図である。
【図２】本発明の第１実施形態に係る圧分布計測システム１０が備える圧分布計１００および情報処理装置２００の機能構成を示す図である。
【図３】本発明の第１実施形態に係る情報処理装置２００が実施する処理の手順を示すフローチャートである。
【図４】本発明の第１実施形態に係る警告部２０４が表示部２１０上に表示する警告の一例を示す図である。
【図５】本発明の第１実施形態に係る警告部２０４が表示部２１０上に表示する警告の一例を示す図である。
【図６】本発明の第１実施形態に係る警告部２０４が表示部２１０上に表示する警告の一例を示す図である。
【図７】本発明の第２実施形態に係る圧分布計測システム１０が備える圧分布計１００および情報処理装置２００の機能構成を示す図である。
【図８】本発明の第２実施形態に係る相対圧算出部７０１が実施する処理の説明図である。
【図９】本発明の第２実施形態に係る情報処理装置２００が実施する処理の手順を示すフローチャートである。
【発明を実施するための形態】
【００１３】
以下、本発明の各実施形態について図面を参照しながら説明する。なお、以下に述べる実施形態は、本発明の好適な具体例であるから、種々の限定がされているが、特に本発明を限定する旨の記載がない限り、これらの態様に限られるものではない。
【００１４】
［第１実施形態］
＜１．圧分布計測システムの外観構成＞
図１は、本実施形態に係る圧分布計測システム１０の外観構成の一例を示す図である。圧分布計測システム１０は、圧分布計１００と、情報処理装置２００とを備えており、これらはケーブル３００によって接続されている。そして圧分布計１００の上に被検者４００が載っている。
【００１５】
圧分布計１００は、複数の圧力センサが２次元に配列された圧分布検出センサ１０１を備えており、被検者４００と接触した部位の圧力を測定することができる。情報処理装置２００は、圧分布計１００において計測された圧分布データをケーブル３００を介して取得する。また、取得した圧分布データを表示部に表示する。これにより、例えば圧分布計１００が被検者４００の体圧分布を計測する場合、被検者の体圧分布を表示することができるので、医師や理学療法士は被検者４００の状態を監視することができる。
【００１６】
＜２．圧分布計測システムが備える圧分布計および情報処理装置の機能構成＞
図２は、圧分布計測システム１０が備える圧分布計１００および情報処理装置２００の機能構成を示す図である。圧分布計１００は、圧分布検出センサ１０１を備えている。情報処理装置２００は、制御部２０１と、圧分布取得部２０２（圧分布取得手段）と、閾値判定部２０３（閾値判定手段）と、警告部２０４（警告手段）と、表示制御部２０５（表示制御手段）とを備えている。また情報処理装置２００は、表示部２１０と、入力部２２０（入力手段）と、データ記憶装置２３０と、スピーカ２４０と接続されている。
【００１７】
制御部２０１は、データ記憶装置２３０または不図示の内部メモリ等の記憶媒体に記憶されたプログラムを読み出して実行することにより、各構成要素の動作を制御する。圧分布取得部２０２は、圧分布計１００から圧分布検出センサ１０１により検出された圧分布を取得する。
【００１８】
閾値判定部２０３は、圧分布取得部２０２により取得された圧分布の少なくとも一部が閾値を超過しているか否かを判定する。警告部２０４は、閾値判定部２０３により圧分布の少なくとも一部が閾値を超過していると判定された場合に、警告を行う。表示制御部２０５は、圧分布取得部２０２により取得された圧分布を表示部２１０に表示する。
【００１９】
表示部２１０は、例えば液晶ディスプレイであり、圧分布取得部２０２により取得された圧分布データを表示したり、圧分布の少なくとも一部が閾値を超過していることを示すテキスト情報を表示したりする。入力部２２０は、例えばキーボード、マウス、またはタッチパネル等で構成されており、ユーザからの各種入力を受け付ける。例えば、閾値判定部２０３が判定に用いる閾値の設定を入力部２２０を介してユーザから受け付ける。
【００２０】
データ記憶装置２３０は、制御部２０１が実行するプログラムを格納し、圧分布計１００から取得した圧分布データや、入力部２２０を介してユーザから受け付けた閾値等を記憶する。スピーカ２４０は、閾値判定部２０３により圧分布の少なくとも一部が閾値を超過していると判定された場合、その旨を音声情報で報知する。なお、表示部２１０乃至スピーカ２４０は情報処理装置２００と一体形成あるいは内蔵されていてもよい。
【００２１】
＜３．情報処理装置が実施する処理の手順＞
以下、図３のフローチャートを参照して、第１実施形態に係る情報処理装置２００が実施する処理の手順を説明する。
【００２２】
Ｓ３０１において、入力部２２０は、圧の閾値の入力を受け付ける。なお、特に入力を受け付けない構成であってもよく、その場合デフォルトの値（例えば３０ｍｍＨｇ）を閾値として設定すればよい。また、閾値の入力の要否をユーザが判断して選択できるように構成してもよい。Ｓ３０２において、圧分布取得部２０２は、圧分布計１００から圧分布検出センサ１０１により検出された圧分布を取得する。
【００２３】
Ｓ３０３において、閾値判定部２０３は、圧分布取得部２０２により取得された圧分布の少なくとも一部が閾値を超過しているか否かを判定する。圧分布の少なくとも一部が閾値を超過していると判定された場合（Ｓ３０３；ＹＥＳ）、Ｓ３０４へ進む。一方、圧分布の少なくとも一部が閾値以下であると判定された場合（Ｓ３０３；ＮＯ）、Ｓ３０５へ進む。
【００２４】
Ｓ３０４において、警告部２０４は、圧分布の少なくとも一部が閾値を超過していることを示すテキスト情報を表示部２１０に表示することにより、および／または、スピーカ２４０を通じて圧分布の少なくとも一部が閾値を超過していることを音声情報で報知することにより、警告を行う。
【００２５】
警告部２０４による警告例について図４乃至図６を参照して説明する。例えば、図４に示す「警告！圧力制限値●●ｍｍＨｇを超えています」というような警告表示４０１を表示部２１０上に表示する。また図５に示すように、圧分布取得部２０２により取得された被検者４００の圧分布５０１と併せて警告表示４０１を表示部２１０上に表示してもよい。また、圧力が閾値を超過している領域を、高圧領域５０３として周囲と異なる色に変更して表示することにより警告を行ってもよい。なお、図５において、被検者が圧分布計１００上に横たわることで、圧分布が検出される領域が概略的に被検者領域５０２のように形成されている。被検者が横たわる場合には、図５に示すように一般に腰領域の付近に大きな圧力がかかる傾向がある。被検者の特定の部位に継続的に圧が加わると、褥瘡の可能性が高くなるため、圧が閾値を超過する場合に警告を行うことで褥瘡を防止することができる。さらには図６に示すように、圧分布取得部２０２により取得された圧分布の最高値が閾値を超過する場合には、当該最高値を圧力表示６０１のように表示してもよい。
【００２６】
Ｓ３０５において、制御部２０１は、処理を継続するか否かを判定する。例えば、被検者４００が圧分布計１００上から降りて、圧分布が計測されなくなって所定時間が経過した場合や、ユーザから訓練終了の指示（例えば、圧分布計１００や情報処理装置２００の電源をユーザがＯＦＦにした。）を受けた場合、閾値が再入力された場合等に処理を終了する。処理を継続すると判定された場合（Ｓ３０５；ＹＥＳ）、Ｓ３０２に戻る。一方、処理を継続しないと判定された場合（Ｓ３０５；ＮＯ）、図３のフローチャートの処理が終了する。
【００２７】
図３のフローチャートの処理を継続的に行うことで、警告部２０４は圧が閾値を超過している間警告を継続することができ、閾値以下になったら警告を停止することになる。したがって、警告部２０４による警告を参考にしながら被検者４００の状態を監視することができ、褥瘡を防止することが容易になる。
【００２８】
以上説明したように、本実施形態では、被検者に加わる圧が閾値を超過する場合に警告を行う。これにより、被検者の褥瘡の可能性を低減することができる。
【００２９】
［第２実施形態］
第１実施形態では、圧分布計上に被検者が載り、圧が閾値を超過する場合に警告を行う例を説明した。その際、圧の絶対値と閾値との比較を行った。
【００３０】
これに対して、第２実施形態では、被検者の個人差を吸収するために、相対的な評価を行う例を説明する。なお、以下の説明では、第１実施形態で説明した構成要素と同一の構成要素には同一の参照符号を付し、詳細な説明は省略する。なお、圧分布計測システムの外観構成は第１実施形態と同様である。
【００３１】
＜１．圧分布計測システムが備える圧分布計および情報処理装置の機能構成＞
図７は、圧分布計測システム１０が備える圧分布計１００および情報処理装置２００の機能構成を示す図である。圧分布計１００は、圧分布検出センサ１０１を備えている。情報処理装置２００は、制御部２０１と、圧分布取得部２０２（圧分布取得手段）と、閾値判定部２０３（閾値判定手段）と、警告部２０４（警告手段）と、表示制御部２０５（表示制御手段）と、相対圧算出部７０１（相対圧算出手段）とを備えている。また情報処理装置２００は、表示部２１０と、入力部２２０（入力手段）と、データ記憶装置２３０と、スピーカ２４０と接続されている。
【００３２】
制御部２０１は、データ記憶装置２３０または不図示の内部メモリ等の記憶媒体に記憶されたプログラムを読み出して実行することにより、各構成要素の動作を制御する。圧分布取得部２０２は、圧分布計１００から圧分布検出センサ１０１により検出された圧分布を取得する。
【００３３】
相対圧算出部７０１は、圧分布取得部２０２により取得された圧分布の最高値と、当該圧分布の平均値との差分値を算出する。あるいは、当該圧分布の最高値と、当該圧分布のうち一定値以下の圧分布の平均値との差分値を算出してもよい。
【００３４】
閾値判定部２０３は、相対圧算出部７０１により算出された差分値が閾値を超過しているか否かを判定する。ここで比較対象とされる閾値は第１実施形態で説明した閾値とは必ずしも一致せず、通常は異なる値である。
【００３５】
警告部２０４は、相対圧算出部７０１により算出された差分値が閾値判定部２０３により閾値を超過していると判定された場合に、警告を行う。警告の方法は第１実施形態と同様である。表示制御部２０５は、圧分布取得部２０２により取得された圧分布を表示部２１０に表示する。
【００３６】
＜２．情報処理装置が実施する処理の手順＞
以下、図８および図９のフローチャートを参照して、第１実施形態に係る情報処理装置２００が実施する処理の手順を説明する。
【００３７】
Ｓ９０１において、入力部２２０は、圧の閾値の入力を受け付ける。なお、特に入力を受け付けない構成であってもよく、その場合デフォルトの値を閾値として設定すればよい。また、閾値の入力の要否をユーザが判断して選択できるように構成してもよい。Ｓ９０２において、圧分布取得部２０２は、圧分布計１００から圧分布検出センサ１０１により検出された圧分布を取得する。
【００３８】
Ｓ９０３において、相対圧算出部７０１は、圧分布取得部２０２により取得された圧分布の最高値を取得する。Ｓ９０４において、相対圧算出部７０１は、圧分布取得部２０２により取得された圧分布の平均値を算出する。平均値は圧力が検出されたすべての圧分センサの測定値の合計を、圧力が検出された圧分センサの数で割ったものになる。
【００３９】
ここで、図８を参照して、圧分布の最高値の取得および平均値の算出処理について説明する。図８は、被検者４００の圧分布５０１のＡ−Ａ’断面について圧力分布の値をグラフ化した図である。圧力の最高値については、圧分布取得部２０２により取得された圧分布データから取得することができる。一方、圧力平均値は、全体領域についての圧力平均値を算出することにより求める。また、圧力値がある一定値を超過する領域の圧力値を除いた領域における圧力の平均値を算出することによって求めてもよい。すなわち、圧分布の最高値と、当該圧分布のうち一定値以下の圧分布の平均値との差分値を算出してもよい。これにより、比較的低圧領域についての平均値を算出することができるため、圧力値が高い領域の影響を排除することができる。そのため、圧力の最高値と最低値との差分値により近い値を求めることができるようになり、被検者の特定の部位に極端に大きな圧力がかかっていることを認識できるようになる。
【００４０】
Ｓ９０５において、閾値判定部２０３は、相対圧算出部７０１により算出された圧分布の最高値と平均値との差分値が閾値を超過しているか否かを判定する。差分値が閾値を超過していると判定された場合（Ｓ９０５；ＹＥＳ）、Ｓ９０５へ進む。一方、差分値が閾値以下であると判定された場合（Ｓ９０５；ＮＯ）、Ｓ９０７へ進む。
【００４１】
Ｓ９０６において、警告部２０４は、差分値が閾値を超過していることに基づいて、圧がかかり過ぎであることを示すテキスト情報を表示部２１０に表示することにより、および／または、スピーカ２４０を通じて圧がかかり過ぎであることを音声情報で報知することにより、警告を行う。警告部２０４による警告例の詳細については第１実施形態と同様であるため説明を省略する。
【００４２】
Ｓ９０７において、制御部２０１は、処理を継続するか否かを判定する。例えば、被検者４００が圧分布計１００上から降りて、圧分布が計測されなくなって所定時間が経過した場合や、ユーザから訓練終了の指示（例えば、圧分布計１００や情報処理装置２００の電源をユーザがＯＦＦにした。）を受けた場合、閾値が再入力された場合等に処理を終了する。処理を継続すると判定された場合（Ｓ９０７；ＹＥＳ）、Ｓ９０２に戻る。一方、処理を継続しないと判定された場合（Ｓ９０７；ＮＯ）、図９のフローチャートの処理が終了する。
【００４３】
図９のフローチャートの処理を継続的に行うことで、警告部２０４は圧が閾値を超過している間警告を継続することができ、閾値以下になったら警告を停止することになる。したがって、警告部２０４による警告を参考にしながら被検者４００の状態を監視することができ、褥瘡を防止することが容易になる。
【００４４】
以上説明したように、本実施形態では、圧分布取得部により取得された被検者の圧分布の最高値と、当該圧分布の平均値との差分値を算出し、当該差分値が閾値を超過している場合に警告を行う。これにより、被検者の体重や体格、骨格等の個人差を吸収した相対的な評価を行うことが可能となり、より精度良く褥瘡の可能性を認識することができる。
【００４５】
また、以上の説明では圧分布計を例にして説明を行ったが、体圧分布に限らず、座圧分布、足圧分布を計測する場合には本発明を適用して、褥瘡の有無を確認することができる。
【００４６】
本発明は上記実施の形態に制限されるものではなく、本発明の精神及び範囲から離脱することなく、様々な変更及び変形が可能である。従って、本発明の範囲を公にするために、以下の請求項を添付する。
【００４７】
本願は、２０１２年９月２４日提出の日本国特許出願特願２０１２−２１０１０３を基礎として優先権を主張するものであり、その記載内容の全てを、ここに援用する。
【図１】
2014045498.tif 000003
【図２】
2014045498.tif 000004
【図３】
2014045498.tif 000005
【図４】
2014045498.tif 000006
【図５】
2014045498.tif 000007
【図６】
2014045498.tif 000008
【図７】
2014045498.tif 000009
【図８】
2014045498.tif 000010
【図９】
2014045498.tif 000011
【国際調査報告】
2014045498.tif 000012
2014045498.tif 000013
2014045498.tif 000014
2014045498.tif 000015